(57)【要約】      （修正有）【課題】笠木を跨ぐような雪庇の生成を抑制し得る融雪装置を提供する。【解決手段】パラペット２に取り付ける取付基部３と、パラペットの上面から離間して取付基部を介して支持され、パラペットの上面に沿って延設される天板４と、天板の下部に収容された発熱体５と、パラペットの外壁面との間に所定間隙Ｘ１を有するように天板の前方部からパラペットの上面より低い位置まで下方に延びる前カバー板６と、天板の後方部からパラペットの上面に向けて下方に延びるとともに通気口７ａが形成された後カバー板７と、を備える。【選択図】図１
0003233578.tif 000002
【実用新案登録請求の範囲】
【請求項１】
パラペットに取り付ける取付基部と、
前記パラペットの上面から離間して前記取付基部を介して支持され、前記パラペットの上面に沿って延設される天板と、
前記天板の下部に収容された発熱体と、
前記パラペットの外壁面との間に所定間隙を有するように前記天板の前方部から前記パラペットの上面より低い位置まで下方に延びる前カバー板と、
前記天板の後方部から前記パラペットの上面に向けて下方に延びるとともに、通気口が形成された後カバー板と、
を備える、融雪装置。
【請求項２】
パラペットに取り付ける取付基部と、
前記パラペットの上面から離間して前記取付基部を介して支持され、前記パラペットの上面に沿って延設される天板と、
前記天板の下部に収容された発熱体と、
前記パラペットの外壁面との間に所定間隙を有するように前記天板の前方部から前記パラペットの上面より低い位置まで下方に延びる前カバー板と、
前記天板の後方部に、前記天板との間に通気用間隙を介して、前記パラペットの上面に向けて下方に延びる後カバー板と、
を備える、融雪装置。
【請求項３】
前記後カバー板に、通気口が形成されている請求項２に記載の融雪装置。
【請求項４】
前記取付基部は、前記パラペットを挟持する第１挟持部及び第２挟持部を備え、前記第１挟持部が前記パラペットの外壁面に当接するとともに前記天板と連結されている、請求項１〜３の何れかに記載の融雪装置。
【請求項５】
前記前カバー板と前記パラペットの外壁面との所定間隙が１〜５ｃｍである、請求項１〜４の何れかに記載の融雪装置。
【請求項６】
前記天板と前記後カバー板との間に通気用間隙を有するように前記天板と前記後カバー板とが離間して配置されている、請求項１〜５の何れかに記載の融雪装置。
【考案の詳細な説明】
【技術分野】
【０００１】
本考案は、パラペット上に載置する融雪装置に関する。
【背景技術】
【０００２】
従来、パラペットからせり出す雪庇を防止するため、パラペット上の笠木内にヒータを取り付けた融雪装置が知られている（例えば、特許文献１〜３等）。
【先行技術文献】
【特許文献】
【０００３】
【特許文献１】特公平６−１２０３１号公報
【特許文献２】特開平１１−１５９０８８号公報
【特許文献３】特開２０００−１７０３３４号公報
【考案の概要】
【考案が解決しようとする課題】
【０００４】
しかしながら、従来の融雪装置では、図８に示すように、パラペット上に設置された笠木１００上面に載る雪Ｎは笠木１００内のヒータ１０１の熱で融けるが、笠木１００に接触しないで笠木１００を跨ぐようにして雪庇Ｎ１が突き出し、突き出した雪庇Ｎ１が落下するという問題があった。
【０００５】
本考案は、上記従来の問題を解決するため、笠木を跨ぐような雪庇の生成を抑制し得る融雪装置を提供することを主たる目的とする。
【課題を解決するための手段】
【０００６】
上記問題を解決するため、本考案に係る融雪装置の第１の態様は、パラペットに取り付ける取付基部と、前記パラペットの上面から離間して前記取付基部を介して支持され、前記パラペットの上面に沿って延設される天板と、前記天板の下部に収容されて前記天板を加熱する発熱体と、前記パラペットの外壁面との間に所定間隙を有するように前記天板の前方部から前記パラペットの上面より低い位置まで下方に延びる前カバー板と、前記天板の後方部から前記パラペットの上面に向けて下方に延びるとともに、通気口が形成された後カバー板と、を備える。
【０００７】
また、本考案に係る融雪装置の第２の態様は、パラペットに取り付ける取付基部と、前記パラペットの上面から離間して前記取付基部を介して支持され、前記パラペットの上面に沿って延設される天板と、前記天板の下部に収容されて前記天板を加熱する発熱体と、前記パラペットの外壁面との間に所定間隙を有するように前記天板の前方部から前記パラペットの上面より低い位置まで下方に延びる前カバー板と、前記天板の後方部に、前記天板との間に通気用間隙を介して、前記パラペットの上面に向けて下方に延びる後カバー板と、を備える。
【０００８】
上記第２の態様において、前記後カバー板に、通気口が形成され得る。
【０００９】
前記取付基部は、前記パラペットを挟持する第１挟持部及び第２挟持部を備え、前記第１挟持部が前記パラペットの外壁面に当接するとともに前記天板と連結され得る。
【００１０】
前記前カバー板と前記パラペットの外壁面との所定間隙は、好ましくは１〜５ｃｍである。
【００１１】
前記天板と前記後カバー板との間に通気用間隙を有するように前記天板と前記後カバー板とが離間して配置され得る。
【考案の効果】
【００１２】
本考案に係る融雪装置によれば、発熱体の輻射熱によって天板が暖められて天板上に降る雪を溶かすともに、天板と前カバー板と後カバー板とで囲まれる空間内の空気も発熱体によって暖められて通気口から流出し、後カバー板後方のパラペット上の雪を溶かすことにより、天板を跨いでせり出す雪庇の生成を抑制することができる。また、建物外壁面が太陽光によって暖められると、建物外壁面によってその周辺の空気が暖められて建物外壁面に沿って上昇し、パラペットと前カバー板との間の所定間隙に流入する。建物外壁面によって暖められた空気は、発熱体によって更に暖められて、通気口から流出し、後カバー板後方のパラペット上の雪を溶かす効果を高めることができる。
【００１３】
また、取付基部がパラペットを挟持する構成とすることにより、融雪装置の後付けが容易であり、パラペットを傷つけずに施工することができる。
【図面の簡単な説明】
【００１４】
【図１】本考案に係る融雪装置の第１実施形態を示す部分断面要部斜視図である。
【図２】図１の融雪増値の要部縦断面図である。
【図３】図２の部分拡大図である。
【図４】第１実施形態の変更態様を示す縦断面図である。
【図５】図１の融雪装置の設置状態を示す縦断面図である。
【図６】本考案に係る融雪装置の第２実施形態を示す一部拡大部分断面要部斜視図である。
【図７】図６の部分拡大図である。
【図８】従来の融雪装置における雪庇の状態を示す断面図である。
【考案を実施するための形態】
【００１５】
本考案に係る融雪装置の実施形態について、以下に図１〜図７を参照して説明する。全図及び全実施形態を通じて同一又は類似の構成部分には同符号を付している。
【００１６】
先ず、融雪装置の第１実施形態について、図１〜図３を参照して説明する。融雪装置１は、パラペット２に取り付ける取付基部３と、パラペット２の上面２ａから離間して取付基部３を介して支持されパラペット２の上面２ａに沿って延設される天板４と、天板４の下部に収容されて主として天板４を加熱する発熱体５と、パラペット２の外壁面２ｂとの間に所定間隙Ｘ１を有するように天板４の前方部からパラペット２の上面より低い位置まで下方に延びる前カバー板６と、天板４の後方部からパラペット２の上面２ａに向けて下方に延びるとともに通気口７ａが形成された後カバー板７と、を備える。本明細書において、天板４の前方はパラペット２の外壁面２ｂ側の方向に相当し、天板４の後方はパラペット２の内壁面２ｃ側の方向を相当する。
【００１７】
取付基部３、天板４、前カバー板６、後カバー板７は、耐食性及び熱伝導性に優れた材料で形成することが好ましく、図示例に於いては、表面をアルマイト処理されたアルミ板によって形成されている。
【００１８】
取付基部３は、パラペット２を挟持する第１挟持部３ａ及び第２挟持部３ｂを備えている。第１挟持部３ａはパラペット２の外壁面２ｂに当接する。
【００１９】
第１挟持部３ａは、断面Ｌ字状の第１端部３ａ１と断面コ字状の第２端部３ａ２とを備えている。第１端部３ａ１がパラペット２の外側角部に係止される。第２端部３ａ２は、起立部３ａ２１と、起立部３ａ２１と直角状に連設されて天板４を載置する載置部３ａ２２を備えている。また、第２端部３ａ２は、載置部３ａ２２と直角状に連設されて、後カバー板７を連結する連結部３ａ２３を備えている。連結部３ａ２３と後カバー板７とは、ネジ締結手段８により連結されている。符号８ａは、連結部３ａ２２に固定されたナット板である。
【００２０】
後カバー板７の通気口７ａは、後カバー板７の長さ方向に所定間隙をおいて複数形成されている。通気口７ａの開口面積、個数は適宜設定することができる。
【００２１】
第２挟持部３ｂは、Ｌ字状の第１端部３ｂ１、Ｌ字状の第２端部３ｂ２を備えている。第１端部３ｂ１は、第１挟持部３ａの起立部３ａ２１とネジ締結手段９により連結されている。符号９ａは、起立部３ａ２１に固定されたナット板である。第２端部３ｂ２は、圧諦用螺子１０が螺設されている。符号１０ａは、第２端部３ｂ２に固定されたナット板材である。圧諦用螺子１０を締め付け、パラペット２の内壁面２ｃに圧接させることにより、パラペット２に載置された取付基部３がパラペット２を挟持する。
【００２２】
取付基部３がパラペット２を挟持する構成とすることにより、融雪装置１をパラペット２に後付けすることができる。
【００２３】
第２挟持部３ｂの第２端部３ｂ２は、他の実施形態として、図４に示すように、パラペット２の内側突部２ｄの下方に回り込むような断面コ字状に形成し、内側突部２ｄの下面に圧接する螺諦手段１１を設けることができる。斯かる構成により、取付基部３がパラペット２から外れにくくなる。
【００２４】
前カバー板６とパラペット２の外壁面２ｂとの所定間隙Ｘ１は、好適には１〜５ｃｍに設定される。
【００２５】
発熱体５は、電気ヒータを用いることができる。そのような発熱体５として、アモルファス合金リボンを樹脂被覆した帯状のアモルファスヒータを好適に利用し得る。発熱体５は、図示例では第１挟持部３ａに取り付けられているが、天板４又は起立部３ａ２１に取り付けることもできる。発熱体５は、４０℃〜７０度の範囲で温度制御され、輻射熱及び第１挟持部３ａを介した伝熱により天板４を加熱することができる。発熱体５は、天板４を暖めるとともに、前カバー板６及び後カバー板７も暖める。
【００２６】
上記構成を有する融雪装置の作用効果について説明する。図５を参照して、太陽光によって建物の外壁面１２が暖められ、外壁面１２の周辺の空気Ａ１は、外壁面１２によって暖められ、上昇気流となって外壁面１２に沿って上昇し、所定間隙Ｘ１に流入する。
【００２７】
所定間隙Ｘ１に流入した空気Ａ２は、天板４と前カバー板６と後カバー板７とで囲まれた空間Ｓ内を通り、後カバー板７の通気口７ａから流出する。発熱体５が通電されている時、発熱体５からの輻射熱は、天板４を暖めるとともに、空間Ｓ内の空気も暖める。天板４に降る雪は、暖められた天板４により溶かされる。空間Ｓ内の暖められた空気Ａ２は、後カバー板７の通気口７ａから流出する。通気口７ａから流出した空気Ａ３は、後カバー板７の後方でパラペット２上に積もる雪を溶かすことができる。後カバー板７の後方の雪Ｎを溶かすことにより、天板４を跨ぐようにしてせり出す雪庇の生成を抑制することができる。所定間隙Ｘ１に流入する空気Ａ１は、建物外壁面によって暖められているので、発熱体５によって加熱される前に予熱され、また、上昇気流による流速を有しているため、効率的に加熱され、後カバー板７の後方に積もる雪Ｎに接触し溶かすことができる。
【００２８】
また、発熱体５に通電している場合に比べると効果は劣るが、降雪量が少ない場合等においては、発熱体５に通電されていない状態においても、太陽熱により建物外壁面で暖められた空気Ａ１は、上昇気流となって所定間隙Ｘ１に流入し、天板４を温めて天板４に降る雪を溶かすことができるとともに、通気口７ａから流出して、パラペット２上の後カバー板７の後方に積もる雪Ｎを溶かすことが可能である。
【００２９】
次に、本考案に係る融雪装置の第２実施形態について、図６及び図７参照して説明する。
【００３０】
第２実施例の融雪装置１は、天板４と後カバー板７とが離間して配設されることにより、天板４と後カバー板７との間に通気用間隙Ｘ２が形成されている。載置部３ａ２２は、ネジ締結手段１３により、天板４と連結されている。
【００３１】
図示例において、第２実施形態の後カバー板７に第２通気口７ａが形成されている。第２実施形態の通気用間隙Ｘ２による作用効果は、第１実施形態の通気口７ａの作用効果と同様である。空気Ａ２は、通気用間隙Ｘ２及び通気口７ａから流出し、後カバー板７後方のパラペット２上の雪を溶かすことができる。図示しないが、第２実施形態において通気口７ａは省略することもできる。
【００３２】
本考案は、上記実施形態に限定されず、本考案の趣旨を逸脱しない範囲において種々の変更が可能である。
【符号の説明】
【００３３】
１  融雪装置
２  パラペット
３  取付基部
３ａ  第１挟持部
３ｂ  第２挟持部
４  天板
５  発熱体
６  前カバー板
７  後カバー板
Ｘ１  間隙
Ｘ２  通気用間隙
【図１】
0003233578.tif 000003
【図２】
0003233578.tif 000004
【図３】
0003233578.tif 000005
【図４】
0003233578.tif 000006
【図５】
0003233578.tif 000007
【図６】
0003233578.tif 000008
【図７】
0003233578.tif 000009
【図８】
0003233578.tif 000010